(57)【要約】【課題】  中身の確認が容易で利便性を得られ、また礼状やメッセージカード、熨斗紙などのカード状体を箱に対して簡単に、しかも体裁よく取り付けられるようにすること。【解決手段】  被包装物１２を収納する内箱１３と、該内箱１３を収納する外ケース１４を有し、該外ケース１４の上面に、透光性を有する材料からなり内部を視認可能にする透視部１８を形成するとともに、上記外ケース１４には、被包装物１２に添付するカード状体１５を差し込んで保持する切込み部２０を形成した包装箱１１。【選択図】    図１
2006160333.tif 000002
【特許請求の範囲】
【請求項１】
被包装物を収納する内箱と、該内箱を収納する外ケースを有し、
該外ケースの上面に、透光性を有する材料からなり内部を視認可能にする透視部を形成するとともに、
上記外ケースには、被包装物に添付するカード状体を差し込んで保持する切込み部を形成した
包装箱。
【請求項２】
前記内箱の上面に開口部を形成し、内部の被包装物を外部から視認可能にした
包装箱。
【請求項３】
前記外ケースの全体を、透光性を有する合成樹脂シートで形成した
請求項１又は２に記載の包装箱
【請求項４】
前記外ケースに、文字、図形、模様等の装飾表示部を形成した
請求項１から請求項３のうちのいずれか一項に記載の包装箱。
【請求項５】
前記外ケースが、筒状形状、または筒状の端部に該端部を閉鎖する端部壁板を有した形状である
請求項１から請求項４のうちのいずれか一項に記載の包装箱。
【請求項６】
被包装物を収納する内箱が収納可能な形状に形成され、
上面に、透光性を有する材料からなり内部を視認可能にする透視部が形成されるとともに、
被包装物に添付するカード状体を差し込んで保持する切込み部が形成された
包装箱の外ケース。
【発明の詳細な説明】
【技術分野】
【０００１】
この発明は、たとえば会葬御礼などとして贈る各種の物品を包装するのに好適な包装箱に関する。
【背景技術】
【０００２】
進物用の物品は、その物品の種類にもよるが、紙箱に収納される場合が多い。紙箱は、有底箱状の本体と、該本体に被せる蓋体とからなり、収納された物品、すなわち被包装物は外部からは見えない。
【０００３】
このため、蓋を開けなければ中身を知ることはできず、不便なことが多々ある。たとえば進物をもらった場合には、それが何であるかによって、保管場所を決めたり、不要なものであればそれを必要とする人に譲渡したりするが、いちいち蓋を開けなければ分からないので、作業が煩雑であるとともに、一度開梱してしまうと、テープを剥がした痕が残って見た目が悪くなり、人に譲渡しにくくなってしまう。
【０００４】
また、進物として渡される前の在庫管理などの段階においては、中身がどんな品物であるかを別途に表示し、これを信頼して処理されるが、間違いが生じるおそれがあるうえに、物品の種類によっては出荷前に中身を確認しなければならず面倒な作業となる。
【０００５】
なお、透明窓を備え内部の品物が見えるようにした中蓋を有するとともに、中蓋に切込みを形成して金券をはめ込み可能にした葬祭用収納箱（下記、特許文献１参照）が提案されているが、透明窓と切込みを形成するのはあくまでも中蓋に対してであって、外側の蓋を開けなければ中身を確認できない。また、切込みに取り付けた金券の着脱も、蓋を開けなければできない。
【０００６】
【特許文献１】登録実用新案第３０３３２２７号公報
【発明の開示】
【発明が解決しようとする課題】
【０００７】
そこで、この発明は、中身の確認が容易で利便性を得られ、また礼状やメッセージカード、熨斗紙などのカード状体を箱に対して簡単に、しかも体裁よく取り付けられるようにすることを主たる課題とする。
【課題を解決するための手段】
【０００８】
そのための手段は、被包装物を収納する内箱と、該内箱を収納する外ケースを有し、該外ケースの上面に、透光性を有する材料からなり内部を視認可能にする透視部を形成するとともに、上記外ケースには、被包装物に添付するカード状体を差し込んで保持する切込み部を形成した包装箱であることを特徴とする。
【０００９】
すなわち、この構成によれば、被包装物を内箱に収納した後に、その内箱を外ケースに収納するとともに、外ケースに形成した切込み部に礼状などのカード状体を差し込んで固定する。この包装状態において、内箱は外ケースの上面の透視部を通して視認可能であるとともに、カード状体は外ケースに対して体裁よく固定される。
【００１０】
このため、包装箱をもらった側は、掛けられている上包みを剥がすだけで、被包装物が何であるかを知ることができるとともに、カード状体を容易に取り外すことができる。また、進物として渡される前の商品管理等の段階でも、被包装物を容易に確認できるとともに、出荷に際してのカード状体取り付け作業等も簡易迅速に行える。
【００１１】
なお、上記切込み部は、外ケースのいずれの箇所に形成するもよいが、透視部に形成するのが好ましい。
【００１２】
また、上記内箱の上面に開口部を形成し、内部の被包装物を外部から視認可能にするとよい。被包装物を直接見えるようにすることができる。
【００１３】
上記外ケースの全体を、透光性を有する合成樹脂シートで形成するもよい。部品点数を低減してコストを抑えることができる。また合成樹脂シートとしては、生分解性樹脂からなるものを使用すると、使用後の廃棄処分に際して自然に負担をかけずに済む利点を得られる。
【００１４】
上記外ケースには、文字、図形、模様等の装飾表示部を形成するもよい。装飾表示部の存在によって、進物に高級感を持たせたり目隠しとしたりすることができるとともに、添付するカードと調和する外観を得ることもできる。
【００１５】
上記外ケースは、筒状形状、または筒状の端部に該端部を閉鎖する端部壁板を有した形状であるとよい。内箱の収納作業が容易に行える。
【００１６】
別の手段は、被包装物を収納する内箱が収納可能な形状に形成され、上面に、透光性を有する材料からなり内部を視認可能にする透視部が形成されるとともに、被包装物に添付するカード状体を差し込んで保持する切込み部が形成された包装箱の外ケースであることを特徴とする。既存の包装箱の蓋部材に代えて使用することで、内部を視認可能で、かつカード状体を体裁よく固定できる包装箱が得られる。
【発明の効果】
【００１７】
以上のように、この発明によれば、外ケースの上面に透視部を形成したので、上方から見れば開封せずとも中身を知ることができるため、もらった後の処理や、商品管理が容易になる利点を有する。
【００１８】
しかも、外ケースに切込み部を形成して、カード状体を固定できるようにしたので、包装箱の内側にカード状体を保持しようとした場合に比して作業が容易であるとともに、糊や接着テープ等を用いないので簡易な作業で体裁よく取り付けることができる。
【００１９】
また、切込み部を、透光性を有する部分に形成した場合には、切込み部を形成する部分が紙製である場合に比して、切込み部の切断面をきれいに、しかも外観上あまり目立たないように形成できる。このため、固定してあったカード状体を取り外しても著しく見劣りすることはなく、切込み部に何も取り付けない状態のまま他人に譲渡することも、抵抗なしに行える。
【発明を実施するための最良の形態】
【００２０】
この発明を実施するための一形態を、以下図面を用いて説明する。  
図１は、包装箱１１の斜視図であり、この図に示すように包装箱１１は、被包装物１２を収納する内箱１３と、該内箱１３を収納する透明の外ケース１４とからなり、外ケース１４には、長方形をなす２つ折り状の、礼状等のカード状体１５が着脱可能に固定されている。
【００２１】
上記内箱１３は、図２に示したように、被包装物１２の一例としてのタオルと液体せっけんを収納可能な大きさの有底箱状に形成され、上面には開口部１６が形成されている。この開口部１６を通して、上記被包装物１２を直接視認できる。
【００２２】
被包装物１２は、仕切り部材１７（中ゲス）によって、位置ずれしないように収められる。
【００２３】
この内箱１３は、紙や合成樹脂、木など、適宜の材料で形成される。図示はしないが、被包装物１２の内容を表示する表示や図柄などを印刷することもできる。
【００２４】
上記外ケース１４は、図示例においては、その全体を無色透明の合成樹脂シートで形成しているが、有色透明であるも、半透明であるも、乳白色であるも、いずれでもよい。少なくとも箱状に組み立てた時に上面に位置する部分に、透光性を有する透視部１８を形成できればよい。図示例の外ケース１４では、外ケース１４の全体が透視部１８である。
【００２５】
合成樹脂シートとしては、ＰＥＴ（ポリエチレンテレフタレート）など適宜のものが使用できるが、生分解性樹脂製のものを使用するのが好ましい。そしてまた、合成樹脂シートには、その厚さがたとえば０．２〜０．８ｍｍ程度の薄いものを用いるのが好ましい。
【００２６】
この外ケース１４は、上述のような合成樹脂シートを、打ち抜いて、適宜折り曲げ罫線１９を形成して組み立てて形成される。その形状は、上記内箱１３を収納可能な形状で、好ましくは、内箱１３をがたつかないようにぴたりと収める大きさに形成する。外ケース１４の具体的な構造は、筒状の端部に、該端部を閉鎖する端部壁板１４ａを有した図示例のような直サックのほか、逆サック、さらには地獄底など適宜の構造であるとよい。図３に示したような筒状形状のスリーブであるもよい。
【００２７】
また、外ケース１４の上面の一部、換言すれば透視部１８の一部には、円弧状の切込み部２０を形成し、上記カード状体１５の隅部を差し込み固定可能にしている。
【００２８】
この切込み部２０は、合成樹脂シートに対する加工時、すなわち上記打ち抜きと折り曲げ罫線１９の形成時に、切断刃（図示せず）により形成する。
【００２９】
形成位置は、取り付けるカード状体１５の種類に応じて適宜設定され、また、その個数も、図１〜図３に示したように１箇所に形成するほか、たとえば図４に示したように４箇所形成するも、カード状体の形状に応じて、２箇所、３箇所とするもよい。
【００３０】
また、切込み部２０の形状も、円弧状のほか、たとえば図５に例示したように適宜設定できる。（ａ）の切込み部２０は、全体として略円弧状をなし、中間部に他の部位よりも突出する突出部２０ａを有した形状である。（ｂ）の切込み部２０は、大きさが順に大きくなる３つの湾曲部２０ｂを連結した形状である。（ｃ）の切込み部２０は、傾斜した略逆Ｌ字状をなす形状であって、中間部に略直角状の角部２０ｃを有した形状である。いずれも、突出部２０ａ、湾曲部２０ｂ、角部２０ｃの存在により、切込み部２０が開きやすい。（ｄ）の切込み部２０は、線状に切り込むだけではなく、一部を切り欠いて穴部２０ｄを設けた形状である。穴部２０ｄの形状は切込みの形に応じて適宜設定できる。このように切込みだけではなく穴部２０ｄを設けると、カード状体１５の差し込み作業がより一そう円滑に行える。
【００３１】
さらに、外ケース１４の上面には、図６に示したように、模様からなる装飾表示部２１を印刷により形成することもできる。装飾表示部２１の存在によって、進物に高級感を持たせたり目隠しとしたりすることができるとともに、添付するカードと調和する外観を得ることもできる。図示例では、装飾表示部２１を上面の全体に形成したが、一部に形成するもよく、また上面以外の他の面に形成するもよい。
【００３２】
このように構成した包装箱１１を用いて被包装物１２を包装するには次のように行う。
【００３３】
まず、被包装物１２を、仕切り部材１７を用いて内箱１３に収納し、その後に、その内箱１３を外ケース１４に収納する。外ケース１４への収納は、内箱１３を外ケース１４に対して差し込んでから端部壁板１４ａを閉じるだけであるので、簡易迅速に行える。
【００３４】
この状態で保管される。内箱１３に収納された被包装物１２は外ケース１４の上面の透視部１８を通して直接視認可能であるので、在庫管理や出荷前の確認が便利に行える。
【００３５】
そして、出荷に際しては、外ケース１４に形成した切込み部２０に、所定のカード状体１５を差し込んで固定し、適宜の上包み（図示せず）を行う。カード状体１５の固定は、切込み部２０を有する透視部１８が可撓性を有する合成樹脂シートからなるので、切込み部２０の内側部分にカード状体１５を重ねて上から押さえ込めば切込み部２０が開くため、そのままカード状体１５を切込み部２０に向けて水平に滑らせば、容易に行える。しかも、カード状体１５は、糊や接着テープを用いずに、外ケース１４に対して体裁よく固定される。
【００３６】
また、出荷後返品される包装箱１１があれば、上包みを剥がすだけで、簡単にカード状体１５を取り外すことができ、別のカード状体に付け替えて改めて出荷することが可能である。
【００３７】
また、包装箱１１をもらった側は、掛けられている上包みを剥がすと、被包装物１２が何であるかを知ることができる。このため、後の保管などの処理が容易である。しかも、カード状体１５を取り外すことも痕跡を残さずに容易にでき、また切込み部２０を透視部１８に形成しているので、紙製の部分に切込み部を形成した場合に比して、切込み部２０が目立たずにすみ、著しく見劣りすることがない。このため、被包装物を他人に譲渡する場合でもそのまま行える。
【００３８】
上記構成はこの発明の一形態であって、この発明は上記構成のみに限定されることはなく、様々な形態を採用し得る。
【００３９】
たとえば外ケースは、透光性を有する材料を用いて透視部を有するように形成すればよく、合成樹脂シートと紙など、複数の部材を結合一体化して形成することもできる。
【図面の簡単な説明】
【００４０】
【図１】包装箱の斜視図。
【図２】包装箱の分解斜視図。
【図３】他の例に係る外ケースの斜視図。
【図４】他の例に係る外ケースの平面図。
【図５】他の例に係る切込み部の平面図。
【図６】他の例に係る外ケースの平面図。
【符号の説明】
【００４１】
１１…包装箱
１２…被包装物
１３…内箱
１４…外ケース
１４ａ…端部壁板
１５…カード状体
１６…開口部
１８…透視部
２０…切込み部
２１…装飾表示部
【図１】
2006160333.tif 000003
【図２】
2006160333.tif 000004
【図３】
2006160333.tif 000005
【図４】
2006160333.tif 000006
【図５】
2006160333.tif 000007
【図６】
2006160333.tif 000008